(57)【要約】【課題】  点字打刻の実行結果のイメージを容易に把握できる画像処理方法、画像処理装置、文字情報処理装置、プログラムおよび記憶媒体を提供する。【解決手段】  処理シートに打刻される点字のイメージを示す点字画像を、表示画面上にスクロール表示する。【選択図】  図１１
2006021433.tif 000002
【特許請求の範囲】
【請求項１】
処理シートに打刻される点字のイメージを示す点字画像を、表示画面上にスクロール表示することを特徴とする画像処理方法。
【請求項２】
共通の処理シートに打刻される点字と印刷される墨字の双方のイメージを、表示画面上に一括してスクロール表示する画像処理方法であって、
前記点字のイメージを示す点字画像と前記墨字のイメージを示す墨字画像とを互いに異なるスクロール形態で表示することを特徴とする画像処理方法。
【請求項３】
前記点字画像および前記墨字画像は、それぞれ間欠的な移動によりスクロール表示され、
前記点字画像のスクロール形態と前記墨字画像のスクロール形態とは、間欠移動の移動周期が異なることを特徴とする、請求項２に記載の画像処理方法。
【請求項４】
一方の前記移動周期に対し、他方の前記移動周期が整数倍であることを特徴とする、請求項３に記載の画像処理方法。
【請求項５】
前記一方の移動周期に従った単位移動距離に対し、前記他方の移動周期に従った単位移動距離が前記整数倍であることを特徴とする、請求項４に記載の画像処理方法。
【請求項６】
共通の処理シートに打刻される点字と印刷される墨字の双方のイメージを、表示画面上に一括してスクロール表示する画像処理装置であって、
前記点字のイメージを示す点字画像をスクロール表示する点字スクロール手段と、
前記墨字のイメージを示す墨字画像をスクロール表示する墨字スクロール手段と、
前記点字スクロール手段および前記墨字スクロール手段を制御する制御手段と、
を備え、
前記制御手段は、前記点字画像と前記墨字画像とを互いに異なるスクロール形態で表示することを特徴とする画像処理装置。
【請求項７】
請求項１ないし５のいずれかに記載の画像処理方法を実行する画像処理手段と、
前記処理シートに前記点字を打刻する打刻手段と、
前記処理シートに前記墨字を印刷する印刷手段と、
を備えたことを特徴とする文字情報処理装置。
【請求項８】
請求項１ないし５のいずれかに記載の画像処理方法を実行可能なことを特徴とするプログラム。
【請求項９】
請求項８に記載のプログラムを、プログラム処理可能な装置によって読出可能に記憶することを特徴とする記憶媒体。
【発明の詳細な説明】
【技術分野】
【０００１】
本発明は、点字の打刻結果のイメージを示す点字画像を表示する画像処理方法、画像処理装置、文字情報処理装置、プログラムおよび記憶媒体に関する。
【背景技術】
【０００２】
従来、視覚障害者が認識可能な点字と、視覚障害を有しない晴眼者が視認可能な墨字（点字に対し、通常の印刷文字を指す）とを、同一の印刷対象物（テープ）に対して、字間を合わせて並べて配置して（または重ねて配置して）、視覚障害者と晴眼者の両者が認識可能な点字ラベルが知られている（例えば、特許文献１参照）。
【特許文献１】特開平１０−２７５２０６号公報
【発明の開示】
【発明が解決しようとする課題】
【０００３】
ここで、一般的なワープロ等では、墨字の印刷結果のイメージを印刷前に知るためにいわゆるプレビュー表示やイメージ表示などができる。しかしながら、点字では、一般にひらがな等に対応し且つ英数字や濁音等との区別も必要なので文字数（マス数）が多くなり、さらに各マスや文字間（マス間）を触読のために十分なサイズとしている（民間仕様）。このため、漢字等を用いた墨字の文字列と比べて、点字列は長いものとなり、特に小型の表示画面では、プレビュー表示等でそのイメージ全体を表示するのは困難であった。
【０００４】
本発明は、点字打刻の実行結果のイメージを容易に把握できる画像処理方法、画像処理装置、文字情報処理装置、プログラムおよび記憶媒体を提供することを目的とする。
【課題を解決するための手段】
【０００５】
本発明の第１の画像処理方法は、処理シートに打刻される点字のイメージを示す点字画像を、表示画面上にスクロール表示することを特徴とする。
【０００６】
この画像処理方法では、点字打刻イメージの点字画像をスクロール表示する。この場合、スクロール表示なので、例えば小型機器の表示画面等のようにサイズの小さな表示画面であっても、また、長く成りやすい点字（点字列）のイメージであっても、イメージ全体を把握できる。
【０００７】
また、本発明の第２の画像処理方法は、共通の処理シートに打刻される点字と印刷される墨字の双方のイメージを、表示画面上に一括してスクロール表示する画像処理方法であって、前記点字のイメージを示す点字画像と前記墨字のイメージを示す墨字画像とを互いに異なるスクロール形態で表示することを特徴とする。
【０００８】
また、本発明の画像処理装置は、共通の処理シートに打刻される点字と印刷される墨字の双方のイメージを、表示画面上に一括してスクロール表示する画像処理装置であって、前記点字のイメージを示す点字画像をスクロール表示する点字スクロール手段と、前記墨字のイメージを示す墨字画像をスクロール表示する墨字スクロール手段と、前記点字スクロール手段および前記墨字スクロール手段を制御する制御手段と、を備え、前記制御手段は、前記点字画像と前記墨字画像とを互いに異なるスクロール形態で表示することを特徴とする。
【０００９】
この画像処理方法および画像処理装置では、点字打刻イメージの点字画像と墨字印刷イメージの墨字画像とを一括してスクロール表示する。この場合、スクロール表示なので、サイズの小さな表示画面であっても、比較的長いイメージであっても、イメージ全体を把握できる。また、墨字画像と点字画像の一括スクロール表示なので、共通の処理シートに対する墨字印刷のイメージと点字打刻のイメージとを同時に把握できる。また、これらを互いに異なるスクロール形態で表示するので、仮に墨字と点字とが重ね合わせて表示される場合であっても、そのスクロール形態の違いによってこれらを相互に区別して把握できる。なお、この場合、異なるスクロール形態として、スクロール速度等が異なる場合のほか、一方を点滅させながら他方は通常の状態でスクロール表示させるなど、あるいは上下左右の異なる方向に循環的にスクロール表示させるなど、が考えられる。
【００１０】
また、上述の画像処理方法において、前記処理シート上で前記点字と前記墨字の少なくとも一部が重なるのに対応して、前記スクロール表示の開始から終了までの少なくとも一時点で、前記墨字画像と前記点字画像の少なくとも一部が重なって表示されることが好ましい。
【００１１】
この画像処理方法では、墨字画像と点字画像の少なくとも一部が重なって表示されるが、それらのスクロール形態の違いによって容易に相互に区別して把握できる。すなわち、墨字と点字とを重ね合わせて配置する場合であっても、墨字印刷と点字打刻との双方の実行後のイメージを簡単に把握できる。
【００１２】
また、点字画像と墨字画像とを異なるスクロール形態で表示する上述の各画像処理方法において、前記点字画像および前記墨字画像は、それぞれ間欠的な移動によりスクロール表示され、前記点字画像のスクロール形態と前記墨字画像のスクロール形態とは、間欠移動の移動周期が異なることが好ましい。
【００１３】
この画像処理方法では、スクロール表示は、それぞれ間欠的な移動により実行され、点字画像側と墨字画像側では間欠移動の移動周期が異なるので、スクロール表示中に、墨字画像と点字画像との相対位置がずれることになる。このため、仮に墨字と点字とを重ね合わせて配置する場合、すなわち互いの画像が重なって見にくくなる配置関係であっても、墨字画像と点字画像の動きの違いにより、途中で見やすい状態等が出現するなど、それぞれの画像を把握することができる。
【００１４】
また、上述の画像処理方法において、一方の前記移動周期に対し、他方の前記移動周期が整数倍であることが好ましい。
【００１５】
この画像処理方法では、一方の移動周期に対し、他方の移動周期が整数倍なので、同期をとりやすく、スクロール表示の制御がやりやすく成る。また、この場合、下記の間欠追従型の関係ばかりでなく、循環スクロール表示を行うなどにより、相互間の距離を時々刻々と変化させ、一方が他方に追従したり他方より先行したりするなどの多彩な相対関係の表示が可能になり、一層、双方の画像を個々に把握しやすくなる。
【００１６】
また、上述の画像処理方法において、前記一方の移動周期に従った単位移動距離に対し、前記他方の移動周期に従った単位移動距離が前記整数倍であることが好ましい。
【００１７】
この画像処理方法では、一方の移動周期とそれに従った単位移動距離に対して、他方の移動周期とそれに従った単位移動距離をそれぞれ同一の整数倍とするので、同一方向にスクロールさせれば、遅れてスクロール移動する方（他方）を、スクロール移動の度に追いつかせる構成（間欠追従型）とすることができる。
【００１８】
また、点字画像と墨字画像とを異なるスクロール形態で表示する上述の各画像処理方法において、前記墨字画像と前記点字画像との相対位置として基準位置が定められており、前記墨字画像および点字画像のスクロール形態は、スクロール表示中に少なくとも１回は前記基準位置に一致するように定められていることが好ましい。
【００１９】
この画像処理方法では、墨字画像と点字画像との相対位置として基準位置が定められていて、スクロール表示中に少なくとも１回は基準位置と一致させるので、基準位置の状態での墨字画像と点字画像との相対関係を把握できる。例えば当該画像処理装置を、墨字印刷と点字打刻が可能な文字情報処理装置等の画像処理装置として適用する場合、基準位置を、実際の墨字印刷と点字打刻との相対位置関係に定めておくことにより、実際の墨字印刷と点字打刻との双方を実行した結果のイメージを、それらの実行前に把握できる。
【００２０】
また、本発明の文字情報処理装置は、上述のいずれかの画像処理方法を実行する画像処理手段と、前記処理シートに前記点字を打刻する打刻手段と、前記処理シートに前記墨字を印刷する印刷手段と、を備えたことを特徴とする。
【００２１】
この文字情報処理装置では、点字打刻および墨字印刷を実行できるとともに、上述した各画像処理方法を実行可能なので、実際の点字打刻および墨字印刷の実行結果のイメージを、それらの実行前に把握できる。
【００２２】
また、本発明のプログラムは、上述のいずれかの画像処理方法を実行可能なこと、または、上述の画像処理装置を機能させること、または、上述の文字情報処理装置を機能させること、を特徴とする。また、本発明の記憶媒体は、上述のプログラムを、プログラム処理可能な装置によって読出可能に記憶することを特徴とする。
【００２３】
このプログラムは、上述のいずれかの画像処理方法を実行可能なので、または、画像処理装置を機能させることができるので、または、文字情報処理装置を機能させることができるので、プログラム処理可能な装置によって処理されることにより、または、プログラム処理可能な装置によって記憶媒体に記憶されたプログラムを読み出して実行することにより、点字打刻や墨字印刷の実行結果のイメージを容易に把握できる。
【発明を実施するための最良の形態】
【００２４】
以下、本発明の一実施形態に係るラベル作成装置（文字情報処理装置）について、添付図面を参照しながら詳細に説明する。
【００２５】
図１および図２に示すように、このラベル作成装置１は、手持ち部分１３を有する装置ケース２により外郭が形成され、装置ケース２は、前部ケース２ａと後部ケース２ｂとが一体形成されている。前部ケース２ａは、墨字印刷部１２０を有し、テープカートリッジＣから繰り出されるテープ（処理シート）Ｔに対して墨字印刷を行う。また、後部ケース２ｂは、点字打刻部１５０を有し、ユーザがテープＴを手差し挿入した墨字印刷後のテープＴに対して点字打刻を行う。
【００２６】
前部ケース２ａの前部上面には各種入力キーを備えたキーボード３が配置されると共に、後部上面には開閉蓋２１が取り付けられ、開閉蓋２１には長方形のディスプレイ４が配設されている。また、開閉蓋２１の内側左部にテープカートリッジＣを装着するためのカートリッジ装着部６（墨字印刷部１２０）が窪入形成されており、テープカートリッジＣは、蓋体開放ボタン１４の押下により開閉蓋２１が開放された状態でカートリッジ装着部６に着脱可能に装着される。また、開閉蓋２１には、これを閉止した状態でテープカートリッジＣの装着／非装着を視認するための覗き窓２１ａが形成されている。
【００２７】
前部ケース２ａの右側部には、電源供給のための電源供給口１１と、パソコン等の図外の外部装置と接続するための接続口（インタフェース）１２が形成されており、接続することにより、外部装置からの文字情報に基づいて墨字印刷や点字打刻を行い得るようになっている。また、前部ケース２ａの左側部には、カートリッジ装着部６と外部とを連通する印刷テープ排出口２２が形成され、この印刷テープ排出口２２には、墨字印刷部１２０から送り出したテープＴを切断するためのテープカッタ１９が臨んでいる。そして、テープカッタ１９によりテープＴの後端部が切断されることにより、印刷テープ排出口２２から墨字印刷後のテープＴが排出される。
【００２８】
また、ラベル作成装置１は、図３に示すように、制御系から見た基本的な構成として、キーボード３およびディスプレイ４を有し、文字情報の入力や各種情報の表示などマンマシンインタフェースを司る操作部１１０と、テープカートリッジＣ、印刷ヘッド７および印刷送りモータ１２１を有し、テープＴおよびインクリボンＲを搬送しながらテープＴ上に墨字印刷を行う墨字印刷部１２０と、テープカッタ１９およびこれを駆動するカッタモータ１４１を有し、印刷済みテープＴを切断する切断部１４０と、を備えている。
【００２９】
また、ソレノイド４７、打刻ピン４１および打刻送りモータ１５１を有し、テープＴを搬送しながらテープＴに点字打刻を行う点字打刻部１５０と、テープＴ（テープカートリッジＣ）の種別を検出するテープ識別センサ１７１、点字打刻部１５０においてテープＴの先端を検出する先端検出センサ９１、同じく点字打刻部１５０においてテープＴに印刷された前後識別情報Ｄを検出する前後識別センサ９２、印刷送りモータ１２１の回転速度を検出する印刷部回転速度センサ１７２、および打刻送りモータ１５１の回転速度を検出する打刻部回転速度センサ１７３を有し、各種検出を行う検出部１７０と、をさらに備えている。
【００３０】
また、ディスプレイドライバ１８１、ヘッドドライバ１８２、印刷送りモータドライバ１８３、カッタモータドライバ１８４、打刻ドライバ１８５および打刻送りモータドライバ１８６を有し、各部を駆動する駆動部１８０と、各部と接続され、ラベル作成装置１全体を制御する制御部２００と、をさらに備えている。
【００３１】
制御部２００は、ＣＰＵ２１０、ＲＯＭ２２０、ＲＡＭ２３０および入出力制御装置（以下、「ＩＯＣ：Input Output Controller」という）２５０を備え、互いに内部バス２６０により接続されている。ＲＯＭ２２０は、墨字印刷処理や点字打刻処理等の各種処理をＣＰＵ２１０で制御するための制御プログラムを記憶する制御プログラムブロック２２１と、墨字印刷を行うための文字フォントデータや点字打刻を行うための点字フォントデータの他、前後識別情報Ｄを墨字印刷するためのデータや点字データの打刻制御のための制御データ等を記憶する制御データブロック２２２とを有している。なお、文字フォントデータは、ＲＯＭ２２０内ではなく、ＣＧ−ＲＯＭを別個に備えても良い。
【００３２】
ＲＡＭ２３０は、フラグ等として使用される各種ワークエリアブロック２３１の他、生成された墨字印刷データを記憶する墨字印刷データブロック２３２と、生成された点字打刻データを記憶する点字打刻データブロック２３３と、ディスプレイ４に表示するための表示データを記憶する表示データブロック２３４と、設定された墨字印刷領域（印刷配置部）Ｅｐと点字打刻領域（打刻配置部）Ｅｂのレイアウトを記憶するレイアウトブロック２３５と、設定されたレイアウトに応じて点字データを１８０°回転させた状態で打刻する場合に使用する反転点字データＢ´（図９参照）を記憶する反転点字データブロック２３６と、を有し、制御処理のための作業領域として使用される。また、ＲＡＭ２３０は電源が切断されても記憶したデータを保持しておくように常にバックアップされている。
【００３３】
ＩＯＣ２５０には、ＣＰＵ２１０の機能を補うと共に各種周辺回路とのインタフェース信号を取り扱うための論理回路が、ゲートアレイやカスタムＬＳＩなどにより構成されて組み込まれている。これにより、ＩＯＣ２５０は、キーボード３からの入力データや制御データあるいは検出部１７０の各種センサ値を、そのまま或いは加工して内部バス２６０に取り込むと共に、ＣＰＵ２１０と連動して、ＣＰＵ２１０から内部バス２６０に出力されたデータや制御信号を、そのまま或いは加工して駆動部１８０に出力する。
【００３４】
そして、ＣＰＵ２１０は、上記の構成により、ＲＯＭ２２０内の制御プログラムに従って、ＩＯＣ２５０を介してラベル作成装置１内の各部から各種信号・データを入力するとともに、入力した各種信号・データに基づいてＲＡＭ２３０内の各種データを処理し、ＩＯＣ２５０を介してラベル作成装置１内の各部に各種信号・データを出力することにより、墨字印刷処理や点字打刻処理の制御などを行う。
【００３５】
例えば、ＣＰＵ２１０は、キーボード３より文字情報が入力されると、これに基づいて墨字印刷データＰおよび点字打刻データＢを生成し、必要に応じて両データ間での長さ等の調整を行い、反転点字データＢ’を用意する（図９参照）。また、調整前または調整後の墨字印刷データ（余白データを含む）Ｐを墨字印刷データブロック２３２に記憶すると共に、同じく調整前または調整後の点字打刻データ（余白データを含む）Ｂを点字打刻データブロック２３３に記憶し、反転点字データＢ’を反転点字データブロック２３６に記憶する。
【００３６】
また、キーボード３から墨字印刷および点字打刻の指示を取得すると、印刷送りモータ１２１の駆動を開始し、印刷部回転速度センサ１７２の検出結果に応じて印刷ヘッド７を駆動することにより、墨字印刷データＰに基づく墨字印刷を行うと共に、予め制御データブロック２２２内に記憶されているデータに基づいて、挿入するテープＴの前後識別情報Ｄの印刷も行う。その後、墨字印刷データに基づいて（必要に応じて調整済みの）所定長さのテープ送りを行い、テープカッタ１９によりテープ後端部を切断して、印刷テープ排出口２２からテープＴを排出する。
【００３７】
また、図１〜図３を参照して、引き続き（リセット操作や電源オフ操作が無い状態で）、ユーザによる手差し挿入により、短冊状に切断されたテープＴが打刻テープ挿入口３１に挿入されると、打刻ユニット８０およびテープ送り機構６０を駆動することにより、点字打刻データＢまたは反転点字データＢ′に基づいて点字打刻を行う。そして、打刻終了後、打刻送りモータ１５１の駆動により、点字打刻データＢ等に基づく調整済みの所定長さのテープ送りを行って、打刻テープ排出口３２からテープＴを排出する。なお、打刻ユニット８０による打刻開始は、先端検出センサ９１によるテープ先端の検出をトリガとするのではなく、ユーザがキーボード３上の打刻開始キーを押下することにより手動開始させることも可能である。
【００３８】
ここで、図４を参照し、テープＴ上に形成される点字Ｂ（６点点字Ｂ）について説明する。
【００３９】
点字器や点字タイプライタ等で慣用されている１文字（１マス）や文字間（マス間）の仕様（以下「民間仕様」）によれば、同図に示すように、６点点字Ｂは、縦３個×横２個の６個の点（打刻ポイント：いわゆる「１の点」〜「６の点」と呼ばれる６個の点）で１マス２０１が構成され、６個の点のうちの打刻点および非打刻点のパターンにより、この１マス２０１で、１文字または濁点等の属性を表現するものである、例えば図４（ａ）は、１の点、２の点、５の点、６の点を打刻点とし、３の点、４の点を非打刻点とすることにより、文字情報「し」を表現する点字（点字データ）Ｂを示す図である。
【００４０】
なお、点字Ｂには、このような仮名文字や数字等を表す６点点字Ｂの他、漢字を表す８点点字（１マスが縦４個×横２個の点で構成される点字）も使用されている。ここでは、６点点字Ｂを形成する場合を例に挙げて説明するが、８点点字を形成するラベル作成装置においても本発明は適用可能である。
【００４１】
６点点字Ｂは、１マス２０１が縦３個×横２個の配置パターンで６個の打刻ポイント２０１ａ〜２０１ｆに分割されており、縦方向のピッチが略２．４ｍｍ、マス内の横方向のピッチが略２．１ｍｍ、マス間のピッチは略３．３ｍｍとなっている。同図では、６個の打刻ポイント２０１ａ〜２０１ｆのうち「し」を表現すべく４個の打刻ポイント２０１ａ、２０１ｂ、２０１ｅ、２０１ｆが選択的に打刻されて、テープＴ上に例えば角の丸まった円筒形、半球形、円錐形、四角錐形等の断面形状（図４（ｂ）参照）を有する４個の打刻凸部２０２ａ、２０２ｂ、２０２ｅ、２０２ｆが形成されている。なお、６点点字Ｂを打刻するためには、１マス２０１の大きさ（テープ幅方向長さ）から換算して、最低限テープ幅１２ｍｍ（テープＴ３）が必要となっている。
【００４２】
また、実施形態のラベル作成装置１は、打刻ユニット８０として相互に交換可能な２種類のユニットが用意されており、一方は直径が略１．４ｍｍの小形の小打刻凸部２０３を形成し、他方は直径が略１．８ｍｍの大形の大打刻凸部２０４を形成する。大小２種類の打刻凸部２０３、２０４は、その用途によって使い分けられるものであり、例えば、小打刻凸部２０３が点字Ｂの読み取りに慣れた者（先天盲者）向けであって、大打刻凸部２０４が初心者（中途失明者）向けである。
【００４３】
図１〜図３を参照して、さらに詳述する。キーボード３には、文字キー群３ａ、および各種動作モード等を指定するための機能キー群３ｂが配列されている。文字キー群３ａは、墨字印刷や点字打刻を行うための文字情報を入力するためのものであり、ＪＩＳ配列に基づいたフルキー構成となっている。また、機能キー群３ｂには、墨字印刷や点字打刻を実行させるための印刷・実行キー（印刷キー）、点字打刻部１５０におけるテープＴの送り開始を指示する送り開始キー、手動により点字打刻を行わせる打刻開始キーの他、墨字印刷や点字打刻を行うための処理モードを選択するモードキー、墨字印刷領域（印刷配置部）Ｅｐと点字打刻領域（打刻配置部）Ｅｂの配置を設定するレイアウトキー、その配置結果を印刷等の実行前にスクロール表示させるためのスクロールキーが含まれる。また、これら以外にも、機能キー群３ｂには一般のワープロ等と同様に、処理の取り消し等のための取消キー、カーソル移動用のカーソルキー、各種選択画面における選択肢の決定やテキスト入力時の改行のための確定（エンター）キーなどが含まれる。
【００４４】
モードキーによって選択される処理モードとしては、入力された文字情報に基づいて墨字印刷および点字打刻を行う第１処理モード（図８（ａ）参照）、入力された文字情報に基づいて墨字印刷のみを行う第２処理モード（同図（ｂ）参照）、入力された文字情報に基づいて点字打刻のみを行う第３処理モード（同図（ｃ）参照）があり、いずれか１つの処理モードが選択される。
【００４５】
ディスプレイ４は、横方向（Ｘ方向）約１２cm×縦方向（Ｙ方向）５cmの長方形の形状の内側に、１９２ドット×８０ドットの表示画像を表示可能であり、ユーザがキーボード３から文字情報を入力して、墨字印刷データや点字打刻データを作成・編集したりする際に用いられる。また、各種エラーやメッセージ（指示内容）を表示し、ユーザに報知する。
【００４６】
墨字印刷部１２０において、カートリッジ装着部６には、ヘッドカバー２０ａ内にサーマルヘッドから成る印刷ヘッド７が内蔵されたヘッドユニット２０と、印刷ヘッド７に対峙するプラテン駆動軸２５と、インクリボンＲを巻き取る巻き取り駆動軸２３と、テープリール１７の位置決め突起２４と、を備えている。また、カートリッジ装着部６の下側には、プラテン駆動軸２５および巻き取り駆動軸２３を回転させる印刷送りモータ１２１が内蔵されている。
【００４７】
テープカートリッジＣは、カートリッジケース５１内部にテープリール１７とリボンリール１９とを収容して構成されており、テープＴとインクリボンＲは同じ幅で構成されている。また、ヘッドカバー２０ａに差し込むための貫通孔５５が形成されており、テープＴとインクリボンＲとが重なる部分に対応して、プラテン駆動軸２５に嵌合されて回転駆動するプラテンローラ５３が配置されている。また、リボンリール１９から繰り出されたインクリボンＲは、ヘッドカバー２０ａを周回して、リボンリール１９に近接配置されたリボン巻き取りリール５４に巻き取られるようになっている。
【００４８】
テープカートリッジＣがカートリッジ装着部６に装着されると、ヘッドカバー２０ａに貫通孔５５が、位置決め突起２４にテープリール１７の中心孔が、巻き取り駆動軸２３にリボン巻き取りリール５４の中心孔がそれぞれ差し込まれ、テープＴおよびインクリボンＲを挟み込んで印刷ヘッド７がプラテンローラ５３に当接して墨字印刷が可能になる。そして、墨字印刷後のテープＴは、印刷テープ排出口２２に送られる。
【００４９】
テープＴは、特に図示しないが、裏面に粘着剤層が設けられた基材シート（情報形成層）と、この粘着剤層により基材シートに貼付された剥離紙（剥離紙層）とから構成されている。基材シートは、表側から、インクリボンから感熱転写されるインクの定着性を高めた受像層と、ポリエチレンテレフタレート（ＰＥＴ）製のフィルムで構成され、基材シートの主体を為す基材層と、粘着剤で構成された粘着剤層とを積層して構成されている。
【００５０】
また、テープＴは、テープ種別（テープ幅、テープ色、墨字インク色、テープ材質など）が異なる複数種のものが用意されており、この種別を指標する複数の孔（図示省略）がカートリッジケース５１の裏面に設けられている。また、複数の孔に対応してカートリッジ装着部６には、これらを検出するテープ識別センサ（マイクロスイッチ）１７１が複数設けられており、このテープ識別センサ１７１の状態を検出することで、テープ種別を判別できるようになっている。なお、本実施形態では、テープ幅２４ｍｍ（テープＴ１）、テープ幅１８ｍｍ（テープＴ２）、テープ幅１２ｍｍ（テープＴ３）の３種を例に挙げて説明する（図６参照）。
【００５１】
一方、後部ケース２ｂには、その内部に点字打刻を行うアッセンブリ（点字打刻部１５０）が組み込まれ、その上面は点字打刻部１５０（具体的には、テープ走行路７０、打刻ユニット８０およびテープ送り機構６０）が露出するように十字状に開放されている。また、この切り欠き開口部３０の右部にはユーザによりテープＴが手差し挿入される打刻テープ挿入口３１が形成され、左部には点字打刻後のテープＴが排出される打刻テープ排出口３２が形成されている。
【００５２】
点字打刻部１５０は、３個の打刻ピン４１（図５（ｂ）参照）により点字打刻を行う打刻ユニット８０と、打刻テープ挿入口３１に挿入されたテープＴを打刻テープ排出口３２に向けて送るテープ送り機構６０と、テープＴが搬送されるテープ走行路７０とを有し、テープ送り機構６０の駆動によりテープ走行路７０に沿って送られていくテープＴに対し、打刻ユニット８０により３個の打刻ピン４１を選択的に駆動することで点字Ｂが形成される。
【００５３】
次に、打刻ユニット８０は、図５に示すように、テープＴの裏面側に配設されると共に上記３個の打刻ピン４１が組み込まれた打刻部材（打刻ヘッド）８１と、テープＴを挟んで打刻部材８１と対向する位置で打刻ピン４１を受ける打刻受け部材８２とを備え、テープ走行路７０の幅方向における図示下端部に固定配置されている。
【００５４】
打刻部材８１は、テープ幅方向（同図（ａ）における上下方向）に沿って、２．４ｍｍの間隔で配列された３個の打刻ピン４１を備えており、６個のうち縦３個の打刻ポイント２０１ａ〜２０１ｃ（または２０１ｄ〜２０１ｆ）に対応していると共に、ソレノイド４７を駆動源とした直線運動をガイドするガイド部材４５によって、テープＴに対し垂直に保持されている。打刻ピン４１の頭部４１ａは、打刻した打刻凸部２０２の形状が角の丸まった円筒形、半球形、円錐形、四角錐形等の断面形状（図４（ｂ）参照）となるような形状に形成されている。
【００５５】
ここで、ソレノイド４７によりプランジャー４８が直線運動を行うと、アーム部材４６が支持部材４９を支点として回動し、打刻ピン４１がテープＴに対し垂直方向に直線運動を行う。そして、３個のアーム部材４６にそれぞれ接続された３個のソレノイド４７は、三角形状の角部に位置するようにそれぞれ配設されている。一方、打刻受け部材８２は、３個の打刻ピン４１と対向する面４２ａに、３個の打刻ピン４１に対応する３個の打刻受け凹部４３が形成されている。そして、この打刻ピン４１と打刻受け部材８２とにより、テープＴに打刻凸部２０２を形成する。
【００５６】
また、点字打刻部１５０は、図６に示すように、テープＴの搬送をガイドするガイド部材７１、７２と、テープＴの先端を検出する透過型の先端検出センサ９１と、テープＴの前後を識別するための前後識別情報Ｄを検出する反射型の前後識別センサ９２（検出センサ）と、をさらに備えている。前後識別情報Ｄとしては、図示のとおり、テープＴの先端部且つ図示下端部付近に点「・」が印刷されており、これによってテープの挿入方向（前側）が指標されている。
【００５７】
打刻テープ挿入口３１には、テープ幅の大きいものからテープＴ１、Ｔ２、Ｔ３（テープ幅２４、１８、１２ｍｍ）が挿入可能であり、最大テープ幅のテープＴ１については上下ガイド７１、７２によってガイドされ、それ以外のテープＴ２、Ｔ３については、下ガイド部材７１のみによってガイドされ、ユーザによりその先端がテープ送り機構６０（送りローラ６１）に到達するまで（挿入可能な位置まで）手差し挿入される。そして、キーボード３上のテープ送り開始キーの押下によりテープ送り機構６０によるテープＴ３の送りが開始される。
【００５８】
次に、図７〜図９を参照し、ラベル作成装置１の全体処理について説明する。図７に示すように、電源キーの押下（電源オン）により処理が開始すると、まず、前回の電源オフ時の状態に戻すために、退避していた各制御フラグを復旧するなどの初期設定を行い（Ｓ１０）、テープ識別センサ１７１（図３参照）によりテープ種別を検出し（Ｓ１１）、続いて、ユーザによるキーボード３からの（またはパソコン等の外部装置からの）データ入力により文字情報が入力され、編集画面等として各種の情報が表示される（Ｓ１２）。
【００５９】
ここで、キーボード３からのモード選択指示（モードキー入力）により（または外部装置からの指示入力により）、モード選択割込が発生すると（ＩＮＴＭ）、処理モード選択の処理が起動され、第１処理モード（墨点併記）、第２処理モード（墨字のみ）および第３処理モード（点字のみ）のいずれかが選択される（Ｓ１３）。
【００６０】
また、レイアウト設定指示（レイアウトキー入力）により（または外部装置からの指示入力により）、レイアウト設定割込が発生すると（ＩＮＴＬ）、レイアウト設定の処理が起動され（Ｓ３０）、スクロール表示指示（スクロールキー入力）により、スクロール割込が発生すると（ＩＮＴＳ）、スクロール表示の処理が起動され（Ｓ３１）、印刷／実行指示（印刷キー入力）により（または外部装置からの指示入力により）、印刷割込が発生すると（ＩＮＴＧ）、実行前設定の処理が起動される（Ｓ１４）。
【００６１】
レイアウト設定（Ｓ３０）では、主な設定として、テープ幅検出結果（Ｓ１１）および処理モード選択結果（Ｓ１３）に基づいて、テープＴ上における墨字印刷領域（印刷配置部）Ｅｐや点字打刻領域（打刻配置部）Ｅｂのレイアウトとして、各配置部の長さ（印刷配置部長さＰＬ、打刻配置部長さＢＬ）や、印刷配置部長さＰＬと打刻配置部長さＢＬの長い方に合わせて結果的にラベル長さに反映される共通配置部長さＣＬ等が設定され（図１０参照）、その他、墨字印刷の文字サイズなど、一般的なテープ印刷装置やワープロ等と同様の設定が行われる。
【００６２】
そして、特に第１処理モード（墨点併記）の場合、図９に示すように、テープ幅の検出結果が２４ｍｍ（テープＴ１）の場合は（同図（ａ）参照）、印刷配置部Ｅｐが上段，打刻配置部Ｅｂが下段（ａ―１：以下「点字下段」）、または印刷配置部Ｅｐが下段，打刻配置部Ｅｂが上段（ａ―２：以下「点字上段」）のいずれかのレイアウトが選択される。なお、テープＴの上下は、前後識別情報Ｄをテープ挿入方向（左向き）とし、且つ情報形成面を表側としたときの上下を指すものである。
【００６３】
また、テープ幅が１８ｍｍ（テープＴ２）の場合も（図９（ｂ）参照）、点字下段（ｂ―１）、点字上段（ｂ―２）のいずれかが選択されることとなるが、この場合、テープ幅に合わせて印刷配置部Ｅｐのテープ幅方向長さが短くなる。なお、これらの場合、墨字と点字とを並行に配置するレイアウト（以下「墨点並行」）以外に、墨字と点字とを重ねるレイアウト（以下「墨点重ね」）を選択して設定できるようになっている。
【００６４】
なお、テープ幅が１２ｍｍ（テープＴ３）の場合は（図９（ｃ）参照）、テープ幅が点字１マス２０１の大きさ（テープ幅方向長さ）を打刻可能な最低の長さであるため（図４（ａ）参照）、点字上段・下段の選択、墨点並行／重ねの選択・設定に拘わらず、印刷配置部Ｅｐと打刻配置部Ｅｂが重なり合ったレイアウトのみとなる。
【００６５】
次に、実行前設定（Ｓ１４）では、実際の墨字印刷や点字打刻に際してその時点で必要とされる割付配置等の設定や各設定の最終確認等が行われる。なお、モード選択割込やレイアウト設定割込がないまま、印刷割込が発生したときには（ＩＮＴＧ）、デフォルトとして前回の設定のモード（初期設定では、第１処理モード、点字下段、墨点並行）が選択される。そして、実行前設定（Ｓ１４）が終了すると、実際の墨字印刷や点字打刻の処理を開始する。
【００６６】
すなわち、図７および図８（ａ）に示すように、第１処理モードの場合（Ｓ１３：（ａ））、墨字印刷部１２０による墨字Ｐの印刷（墨字印刷）を行った後（Ｓ１５）、印刷テープ排出口２２からテープＴを排出し（Ｓ１６）、ディスプレイ４上に打刻テープ挿入口３１へのテープ挿入指示を表示する（Ｓ１７）。なお、この指示表示は、インジケータやＬＥＤによって行っても良い。テープ挿入指示に従って、ユーザによりテープＴが打刻テープ挿入口３１に挿入（手差し挿入）されると、点字打刻部１５０により点字Ｂの打刻（点字打刻）を行った後（Ｓ１８）、打刻テープ排出口３２から打刻済みテープＴを排出し（Ｓ１９）、処理を終了する（Ｓ２７）。この場合、点字打刻部１５０では、前後識別情報Ｄの検出を行い、検出結果と設定されたレイアウトに応じて点字打刻方向を決定すると共に、テープ挿入方向が間違っている場合、点字打刻を行わない。
【００６７】
また、第２処理モードの場合（Ｓ１３：（ｂ））、墨字印刷部１２０による墨字印刷の後（Ｓ２０）、印刷テープ排出口２２からテープＴを排出し（Ｓ２１）、処理を終了する（Ｓ２７）。すなわち、第２処理モードでは、図８（ｂ）に示すように、装着されたテープカートリッジＣから繰り出されたテープＴが墨字印刷部１２０へ送られることによって墨字Ｐを印刷する。なお、第２処理モードが選択された場合は、前後識別情報Ｄの印刷を省略することも可能である。
【００６８】
また、第３処理モードの場合（Ｓ１３：（ｃ））、ディスプレイ４上に打刻テープ挿入口３１へのテープ挿入指示を表示し（Ｓ２４）、ユーザによるテープ挿入により点字打刻を行った後（Ｓ２５）、打刻テープ排出口３２から打刻済みテープＴを排出し（Ｓ２６）、処理を終了する（Ｓ２７）。
【００６９】
すなわち、第３処理モードでは、図８（ｃ）に示すように、短冊状のテープ（任意の長さにカットされたテープ）Ｔが手差し挿入により点字打刻部１５０に送られることによって点字Ｂを打刻する。また、この場合も、第１処理モードの場合と同様に、点字打刻部１５０において、前後識別情報Ｄの検出結果と設定されたレイアウトに応じて点字打刻方向を決定し、テープ挿入方向が間違っている場合、点字打刻を行わない。
【００７０】
なお、第３処理モードの場合も、前後識別情報Ｄの検出を省略することが可能であり、前後識別情報Ｄの検出を行うか否かを選択できるようにしても良い。また、手差し挿入のための短冊状のテープＴを入手するために、テープ挿入指示（Ｓ２４）の前に、点線で図示のように、第１処理モードの墨字印刷の代わりの空印刷（何も印刷しないでテープ送りのみ）を行った後（Ｓ２２）、印刷テープ排出口２２からテープＴを排出して（Ｓ２３）、排出された（テープカット後の）テープＴを、手差し挿入用の短冊状のテープＴとして利用しても良い。また、点字打刻部１５０の上流側にテープカートリッジＣを装着し、テープカートリッジＣから繰り出された長尺状のテープに点字打刻を行わせることも可能である。また、墨字印刷と点字打刻は、同じ文字情報に基づいて印刷／打刻するのではなく、異なる文字情報に基づいて実行することも可能である。
【００７１】
次に、ラベル作成装置１では、ディスプレイ４内に、テキスト編集画面等の通常の表示画面（以下「通常画面」）の他に、対応するプレビュー表示画面（以下「モニタ画面」）を表示することができる。このため、編集等の各時点で印刷等の実行処理に移行した場合の墨字印刷と点字打刻によるラベルのイメージ画像を、印刷等の実行前に確認することができる。
【００７２】
例えば通常画面において、文字（キャラクタ）列「あずさ」が入力・確定されたテキスト編集画面表示の状態（図７のＳ１２の状態）で、印刷キーが押され、印刷割込が発生すると（ＩＮＴＧ）、第２処理モード（墨字のみ）が選択されていたときには、例えば図１０（ｄ)の画像（墨字印刷データ）Ｇｐ０１に従って墨字印刷の後（Ｓ２０）、印刷テープ排出口２２からテープＴを排出し（Ｓ２１）、処理を終了する（Ｓ２７）。
【００７３】
このため、上記の文字列「あずさ」を表示して編集中の状態では、通常画面にテキスト編集画面を表示するとともに、そのままの状態から印刷が実行されたと仮定した場合に作成されるはずのラベルＬｐ０１のイメージが、テキスト編集画面と並んで配置されたモニタ画面にプレビュー表示される。これにより、印刷等の実行前に、実行後に作成されるラベルＬｐ０１のイメージ画像を確認できる。
【００７４】
ここで、ラベル作成装置１では、ディスプレイ４内における通常画面とモニタ画面とのサイズ割当てを任意に設定でき、図１０（ｄ）で上述の場合、可能な限り画像Ｇｐ０１等の全体を表示できるようにモニタ画面の長さを設定しても良いし、画像Ｇｐ０１等が大きい場合（ラベル長さが長い場合等）には、一部表示としても良い。
【００７５】
そして、例えば同図の画像Ｇｐ０１の印刷配置部長さＰＬに対して、それより短いモニタ画面の長さ（表示範囲長さ：以下「モニタ長さ」）ＳＬが設定されているような場合に、ラベル作成装置１では、スクロール表示指示（スクロールキー入力）により、モニタ画面に画像Ｇｐ０１等をスクロール表示させることができる。この場合、スクロール表示指示によりスクロール割込が発生すると（図７のＩＮＴＳ）、スクロール表示の処理が起動され（Ｓ３１）、画像Ｇｐ０１等をモニタ長さＳＬの範囲内に循環してスクロール表示する。
【００７６】
第３処理モード（点字のみ）の場合も同様であり、文字列「あずさ」を表示して編集中の状態で、印刷割込発生（ＩＮＴＧ）により実行されれば、テープ挿入指示を表示し（図７のＳ２４）、例えば図１０（ｂ）の画像（点字打刻データ）Ｇｂ０に従って点字打刻を行う（Ｓ２５〜Ｓ２７）ことにより、打刻配置部長さＢＬのラベルＬｂ０が作成されるので、上記の通常画面の表示に対応して、ラベルＬｐ１のイメージが、モニタ長さＳＬのモニタ画面にプレビュー表示され、スクロール表示指示（スクロール割込：図７のＩＮＴＳ）があれば、スクロール表示の処理が起動され（Ｓ３１）、モニタ長さＳＬの範囲内に画像Ｇｂ０等をスクロール表示する。
【００７７】
次に、第１処理モード（墨点併記）の場合、上述の文字列「あずさ」を表示して編集中の状態で、印刷割込発生（図７のＩＮＴＧ）があると、例えば図１０（ａ)〜（ｃ）に示すように、元の印刷配置部長さＰＬより長い打刻配置部長さＢＬに合わせて共通配置部長さＣＬが設定され、共通配置部長さＣＬ分の画像（墨字印刷データ）Ｇｐ０に従って墨字印刷の後（図７のＳ１５〜Ｓ１６）、テープ挿入指示を表示し（図７のＳ２４）、画像（点字打刻データ）Ｇｂ０に従って点字打刻を行う（Ｓ１８〜Ｓ１９、Ｓ２７）ことにより、共通配置部長さＣＬの外観Ｇ００のラベルＬ００が作成される。
【００７８】
このため、上述の文字列「あずさ」を編集中の通常画面の表示に対応して、ラベルＬ００のイメージが、モニタ長さＳＬのモニタ画面にプレビュー表示され、スクロール割込発生（図７のＩＮＴＳ）があれば、スクロール表示の処理が起動され（Ｓ３１）、モニタ長さＳＬの範囲内に外観に合う画像Ｇ００をスクロール表示する。
【００７９】
ただし、第１処理モード（墨点併記）の場合、テープ幅１２ｍｍ（テープＴ３）に対しては（図９（ｃ）参照）、印刷配置部Ｅｐと打刻配置部Ｅｂが重なり合うので、図１０（ｃ）の画像Ｇ００のままスクロール表示しても、重なり部分（特に点字側）が確認しにくい。なお、図示では、理解しやすさを重視して、打刻点を墨字「あずさ」と区別しやすく示しているが、双方を同様に（同じ濃さ等で）で表示すれば、同図（ｅ）のような表示になる（すなわち、実際の表示よりも見やすく図示している。もちろん、この種の表示の工夫を実際に適用することも可能である。ただし、以下では、実際には同図（ｅ）のように表示されているものとして、以下の説明を続ける）。
【００８０】
ラベル作成装置１では、墨字画像（同図（ａ）の画像Ｇｐ０）と点字画像（例えば同図（ｂ）の画像Ｇｂ０）とのスクロール形態を異ならせ、最終的には同図（ｃ）のように重なり合う場合でも、双方の画像Ｇｐ０、Ｇｂ０をそれぞれ個別に確認しやすいようにしている。
【００８１】
すなわち、例えば上述のラベルＬ００に対応するスクロール表示では、図１１に示すように、「あずさ」の文字の墨字画像Ｇｐ０側を一定スピードで継続的にスクロール表示する（一点鎖線参照）のに対して、点字画像Ｇｂ０側を断続的（間欠的）に且つ途中で墨字画像Ｇｐ０側に追いつくように（同図（ａ）（ｄ）（ｇ）の相対的に基準位置の状態：以下「基準状態」）、スクロール表示する。
【００８２】
この場合、途中の状態（同図（ｂ）（ｃ）（ｅ）（ｆ）等のように基準状態からずれた過渡的な状態：以下「過渡状態」）の表示により、基準状態では見えない重なり合った部分（特に点字側）が表示されるので、双方の画像Ｇｐ０、Ｇｂ０をそれぞれ個別に確認しやすくなっている。
【００８３】
なお、上記のずらし方（墨字側の先行分）は、下側の点字画像を見やすくするためのズレとなるように、図示のように、縦に並ぶ３点（１〜３の点または４〜６の点）の１列が見える程度（同図（ｃ）（ｆ）参照）としても良いし、１マス分、マス間を含む２マス分、点字の全長ＢＬ分などの整数個のマス分のズレ等のほか、１．５マス分等の整数個分でないズレとしても良い。
【００８４】
また、追従側（上記の点字側）の１回の移動距離は先行側（上記の墨字側）の整数倍でなくても良い。この場合、先行側の１回の移動距離と追従側の１回の移動距離の最小公倍数に相当する位置で追いつくようにすることもできる。また、先行側、追従側の一方または双方の１回の移動距離を、追いつく位置を示す所定値が合計値となる複数の値としても良い。例えば移動距離の単位（後述のドットライン等）を省略して、一方が１ずつの１５回で移動する距離を、移動距離が１＋２＋３＋４＋５＝１５となる５回の移動で追いつくなど、が考えられる。また、これらのスクロール移動を実行するタイミング（移動周期）についても、定期的でなく複数回の合計で合わせることもできる。なお、この場合の移動距離や移動周期を、スクロール表示中の墨字画像や点字画像やそれらの重なり方等を考慮して任意に設定できるようにしても良い。
【００８５】
次に、別の例（第２例）として、図１２に示すように、文字列「Ｆ１５」の墨字印刷と対応する点字打刻との一方または双方を行ってラベルを作成する場合、第２処理モード（墨字のみ）の場合であれば、同図（ｄ）の画像（点字打刻データ）Ｇｐ１１に従って墨字印刷されたラベルＬｐ１１を作成できるのに対応して、その画像Ｇｐ１１をプレビュー且つスクロール表示でき、第３処理モード（点字のみ）の場合であれば、同図（ｂ）の画像（点字打刻データ）Ｇｂ１に従って点字打刻されたラベルＬｂ１を作成できるのに対応して、その画像Ｇｂ１をプレビュー且つスクロール表示できる。
【００８６】
また、第１処理モード（墨点併記）の場合であれば、画像Ｇｂ１に長さを合わせた同図（ａ）の墨字の画像Ｇｐ１および点字の画像Ｇｂ１により墨字印刷と点字打刻が実行されたラベルＬ１０を作成できるのに対応して、その画像Ｇ１０をプレビュー且つスクロール表示できるとともに、スクロール表示の際には、異なった形態のスクロール表示によって、墨字の画像Ｇｐ１および点字の画像Ｇｂ１の双方をそれぞれ個別に確認できる。
【００８７】
次に、上記の第２例について、第１処理モード（墨点併記）設定時における画像データのドットマトリクスのレベルで観察したときのスクロール表示の様子、すなわちモニタ画像についての画像処理の様子を、図１３〜図１４を参照して説明する。
【００８８】
なお、図１３等に示すように、図示の都合上、各ドット（画素）を大きく示すため、打刻点（打刻ポイント）は図示のように２ドット×２ドットの四角で示すが、詳細なドットマトリクスで表現（表示）すれば、実際の点字の各打刻点に近似の略円形で表示できる。また、ここでは、１マスで５ドットライン分、マス間として空白の２ドットラインを設ける。また、ここで、スクロールによる位置移動を見やすくするため、墨字画像データ（画像）Ｇｐ１および点字打刻データ（画像）Ｇｂ１のそれぞれに、各データ上の仮想的な目印点Ｐｐおよび目印点Ｐｂを付して、墨字側の目印点Ｐｐの移動軌跡を一点鎖線で示し、点字側の目印点Ｐｂの移動軌跡を点線で示す。基準状態は、図１３（ｃ）に示す状態となる。
【００８９】
スクロール表示が開始すると、図１４に示すように、上記の基準状態（同図（ａ）参照）から図示左側に、１処理（１ステップ：例えば０．０２ｓｅｃで処理）で１ドットライン分ずつ２ステップ分だけ、墨字画像Ｇｐ１側のみ移動させ（同図（ｂ）〜（ｃ）参照）、さらに次の１ステップで１ドットライン分移動させるときに、点字画像Ｇｂ１を３ドットライン分移動させることにより、点字側が追いついて基準状態に戻る（同図（ｄ）参照）。この状態から同様に、さらに１ステップで１ドットライン分ずつ２ステップ分だけ、墨字画像Ｇｐ１側のみ移動させ（同図（ｅ）〜（ｆ）参照）、さらに次の１ステップで１ドットライン分移動させるときに、点字画像Ｇｂ１を３ドットライン分移動させて基準状態に戻る（同図（ｇ）参照）。
【００９０】
すなわち、上述の例では、一方（点字側）のスクロールの実行周期（３ステップ毎）を、他方（墨字側）の実行周期（１ステップ毎）の３倍にする代わりに、点字側（一方）の１回のスクロールによる移動距離（３ドットライン）も、墨字側（他方）の移動距離（１ドットライン）の３倍とすることで、点字（一方）側のスクロールの度に、墨字（他方）側に追いつかせている。なお、この場合の移動距離やスクロール実行周期（移動周期）は、スクロール表示中の画像の重なりを考慮して任意に設定できるようにしても良い。
【００９１】
以上、詳述したように、本実施形態のラベル作成装置１では、モニタ長さＳＬのモニタ画面内（単一の表示画面内）で墨字画像と点字画像とをスクロール表示するので、墨字印刷のイメージも点字打刻のイメージも概ね同時に把握できるとともに、モニタ長さＳＬが小さくても、また点字のように長く成りやすいイメージであっても、イメージ全体を把握できる。このため、本発明は、ラベル作成装置１以外の装置にも、その装置の表示画面がたとえ小さくても、容易に適用できる。
【００９２】
また、上述の実施形態では、墨字画像と点字画像とを異なるスクロール形態（正確には異なる実行周期と移動距離）でスクロール表示させたので、途中で双方の画像の相対位置がずれることにより、個別の画像を把握しやすくなっている。この場合、印刷・打刻実行後の相対位置を基準位置として、スクロール表示の途中で基準位置となるようにすることで、実際の墨字印刷と点字打刻との双方を実行した結果のイメージを、それらの実行前に把握できる。
【００９３】
なお、上述の実施形態では、墨字画像側を点字画像側に追いつかせたが、逆でも良い。また、遅れてスクロール移動する方を、スクロール移動の度に他方に追いつかせるいわば「間欠追従型」の関係ばかりでなく、循環スクロール表示を行うなどにより、相互間の距離を時々刻々と変化させることもできるし、一方が他方に追従したり他方より先行したりするなどの多彩な相対関係の表示が可能になり、一層、双方の画像を個々に把握しやすくなる。
【００９４】
また、墨字画像と点字画像とのスクロール形態を、それらのスクロールによる実行周期（単位移動周期）や移動距離（単位移動距離）としたが、このほか、異なるスクロール形態として、例えば、一方を点滅させながら他方は通常の状態でスクロール表示させるなどが考えられる。また、テープ幅１２ｍｍのテープＴ（Ｔ３）の例を例示したが、テープ幅１８ｍｍ（テープＴ１）、２４ｍｍ（テープＴ２）でも良く、これらの場合、点字上段／下段や、墨点並行／重ねなどを選択できるが、それぞれに場合についても、同様に適用できる。
【００９５】
また、墨字画像のみのスクロール表示と、点字画像のみのスクロール表示と、双方の画像を合わせた（墨点併記）のスクロール表示と、を予め定めた順番で切り換えて表示しても良い。スクロール方向も左右だけでなく上下、斜め、あるいはそれらの混在でも良い。また、墨字画像と点字画像のスクロール形態として、スクロール方向を異ならせたり、途中で変化させることもできる。また、これらの場合も、スクロール表示の途中で印刷等の実行後を示す基準位置の形態を示すことが好ましい。
【００９６】
また、上述の実施形態では、テープを印刷・打刻の対象物とするラベル作成装置１を文字情報処理装置として採用したが、本発明は、ラベルを作成する以外の文字情報処理装置にも適用でき、対象物として他の用紙等を利用することもでき、テープ等のような長尺状のもので無くても良い。また、上述の実施形態では、墨字１行と点字１行の構成で説明したが、双方ともに複数行の構成でも良いし、一方のみ複数行構成として、他方をそのうちの１行と対応させても良いし、あるいは行同士の対応付けが無くても可能である。
【００９７】
また、上述した実施形態において採用された文字情報処理装置や画像処理装置としての機能あるいはそれらによる各種処理方法（文字情報処理方法や画像処理方法など）は、上述のラベル作成装置１ばかりでなく、プログラム処理可能な各種の装置によって処理されるプログラムとして適用でき、その種のプログラムを記憶するための例えばＣＤ、ＭＤ、ＤＶＤ等の記憶媒体にも適用でき、この種のプログラムを記憶しておいて、あるいは記憶媒体等から読み出して、実行することにより、墨字印刷と点字打刻との双方の実行結果のイメージを容易に把握できる。もちろん、その他、要旨を逸脱しない範囲で、適宜変更も可能である。
【図面の簡単な説明】
【００９８】
【図１】実施形態に係るラベル作成装置の外観斜視図。
【図２】図１のラベル作成装置の開蓋状態の外観斜視図。
【図３】図１のラベル作成装置の制御系の概略ブロック図。
【図４】６点点字の説明図および打刻凸部の断面図。
【図５】打刻ユニットの平面図および断面図。
【図６】点字打刻部におけるテープの搬送を説明する説明図。
【図７】ラベル作成装置の全体処理のフローチャート。
【図８】図７の処理モードに関する補足説明図。
【図９】図７のテープ幅の相違に関する補足説明図。
【図１０】ラベル作成例およびスクロール表示の説明図。
【図１１】図１０の例における墨字画像と点字画像との互いに異なるスクロール表示の説明図。
【図１２】別の一例を示す、図１０と同様の説明図。
【図１３】図１２の例を画像のドットマトリクスイメージで示す説明図。
【図１４】図１３に対応する、図１１と同様の説明図。
【符号の説明】
【００９９】
１…ラベル作成装置  ２…装置ケース  ３…キーボード  ４…ディスプレイ  ７…印刷ヘッド  １１０…操作部  １２０…墨字印刷部  １４０…切断部  １５０…点字打刻部  １７０…検出部  １８０…駆動部  ２００…制御部  Ｂ…点字  ＢＬ…打刻配置部長さ  Ｃ…テープカートリッジ  ＣＬ…共通配置部長さ  Ｅｂ…点字打刻領域（打刻配置部）  Ｅｃ…共通処理領域（共通配置部）  Ｅｐ…墨字印刷領域（印刷配置部）  Ｇｘｘ…画像  Ｌｘｘ…ラベル  Ｐ…墨字  ＰＬ…印刷配置部長さ  ＳＬ…モニタ長さ  印刷配置部長さ  Ｔ、Ｔ１、Ｔ２、Ｔ３……テープ
【図１】
2006021433.tif 000003
【図２】
2006021433.tif 000004
【図３】
2006021433.tif 000005
【図４】
2006021433.tif 000006
【図５】
2006021433.tif 000007
【図６】
2006021433.tif 000008
【図７】
2006021433.tif 000009
【図８】
2006021433.tif 000010
【図９】
2006021433.tif 000011
【図１０】
2006021433.tif 000012
【図１１】
2006021433.tif 000013
【図１２】
2006021433.tif 000014
【図１３】
2006021433.tif 000015
【図１４】
2006021433.tif 000016
【手続補正書】
【提出日】平成17年1月18日(2005.1.18)
【手続補正１】
【補正対象書類名】明細書
【補正対象項目名】００２７
【補正方法】変更
【補正の内容】
【００２７】
前部ケース２ａの右側部には、電源供給のための電源供給口１１と、パソコン等の図外の外部装置と接続するための接続口（インタフェース）１２が形成されており、接続することにより、外部装置からの文字情報に基づいて墨字印刷や点字打刻を行い得るようになっている。また、前部ケース２ａの左側部には、カートリッジ装着部６と外部とを連通する印刷テープ排出口２２が形成され、この印刷テープ排出口２２には、墨字印刷部１２０から送り出したテープＴを切断するための切断部１４０が臨んでいる。そして、切断部１４０によりテープＴの後端部が切断されることにより、印刷テープ排出口２２から墨字印刷後のテープＴが排出される。
【手続補正２】
【補正対象書類名】明細書
【補正対象項目名】００２８
【補正方法】変更
【補正の内容】
【００２８】
また、ラベル作成装置１は、図３に示すように、制御系から見た基本的な構成として、キーボード３およびディスプレイ４を有し、文字情報の入力や各種情報の表示などマンマシンインタフェースを司る操作部１１０と、テープカートリッジＣ、印刷ヘッド７および印刷送りモータ１２１を有し、テープＴおよびインクリボンＲを搬送しながらテープＴ上に墨字印刷を行う墨字印刷部１２０と、テープカッタ１４２およびこれを駆動するカッタモータ１４１を有し、印刷済みテープＴを切断する切断部１４０と、を備えている。
【手続補正３】
【補正対象書類名】明細書
【補正対象項目名】００３６
【補正方法】変更
【補正の内容】
【００３６】
また、キーボード３から墨字印刷および点字打刻の指示を取得すると、印刷送りモータ１２１の駆動を開始し、印刷部回転速度センサ１７２の検出結果に応じて印刷ヘッド７を駆動することにより、墨字印刷データＰに基づく墨字印刷を行うと共に、予め制御データブロック２２２内に記憶されているデータに基づいて、挿入するテープＴの前後識別情報Ｄの印刷も行う。その後、墨字印刷データに基づいて（必要に応じて調整済みの）所定長さのテープ送りを行い、テープカッタ１４２によりテープ後端部を切断して、印刷テープ排出口２２からテープＴを排出する。
【手続補正４】
【補正対象書類名】図面
【補正対象項目名】図２
【補正方法】変更
【補正の内容】
【図２】
2006021433.tif 000017
【手続補正５】
【補正対象書類名】図面
【補正対象項目名】図３
【補正方法】変更
【補正の内容】
【図３】
2006021433.tif 000018